(57)【要約】【課題】ブレスの共振による異音の発生の防止及び天井内配線工事の省力化を図ることを課題とする。【解決手段】床を支持する梁に配置される水平ブレスに取り付け、床に加わる衝撃により共振する水平ブレスの振動を抑制するブレス制振材であって、ブレス制振材は水平ブレスに取付け可能なブレス制振材本体部と錘と緩衝材からなり、緩衝材はブレス制振材本体部が水平ブレスと接触する面に設けられるとともに、ブレス制振材は水平ブレスに対し固定一体化されていないブレス制振材により解決される。【選択図】    図１
2008184793.tif 000002
【特許請求の範囲】
【請求項１】
床を支持する梁に配置される水平ブレスに取り付け、床に加わる衝撃により共振する水平ブレスの振動を抑制するブレス制振材であって、
ブレス制振材は水平ブレスに取付け可能なブレス制振材本体部と錘と緩衝材からなり、
前記緩衝材はブレス制振材本体部が水平ブレスと接触する面に設けられるとともに、ブレス制振材は水平ブレスに対し固定一体化されていないことを特徴とするブレス制振材。
【請求項２】
前記ブレス制振材が電気配線を引掛けることができる電気配線固定部を有する請求項１に記載のブレス制振材。
【発明の詳細な説明】
【技術分野】
【０００１】
本発明は、床水平ブレスを制振するブレス制振材に関する。
【背景技術】
【０００２】
鉄骨住宅では、図４（イ）に示すように２階や３階の鉄骨床組みには水平ブレスが配置され、この水平ブレスで建物の水平耐力を保有する。この水平ブレスの施工工程の削減を目的として、ブレスの代わりに面内剛性の強い床パネルを用いる場合もある。
【０００３】
また、鉄骨住宅の天井内配線工事は天井施工前に行われるため、天井内に配置される配線はブレスや梁などに直接または間接的に固定される。
【０００４】
【特許文献１】実用新案登録第２６００４０８号公報
【特許文献２】特開平１１−１７８６５２号公報
【発明の開示】
【発明が解決しようとする課題】
【０００５】
しかし、図４（ロ）に示すように水平ブレスは細い部材でその端部が強固に床梁に固定されているため、床に衝撃が加わると共振を起こし、多くの場合異音を発生する。床断面が薄いとその音は床上でも十分聞こえるため、居住性の評価上好ましくない。また、床振動評価に影響する。
【０００６】
また、ブレスの代わりに面内剛性の強い床パネルを使用した場合、梁組に強固に固定するため床衝撃音が極度に悪化する。
【０００７】
さらに天井内に配置される配線を施工時にはテープを使って括っていくため、脚立などを使っての作業となり作業効率が悪い。
【０００８】
本発明は、以上のような問題点に鑑み、ブレスの共振による異音の発生の防止及び天井内配線工事の省力化を図ることを課題とする。
【課題を解決するための手段】
【０００９】
上記の課題は、床を支持する梁に配置される水平ブレスに取り付け、床に加わる衝撃により共振する水平ブレスの振動を抑制するブレス制振材であって、ブレス制振材は水平ブレスに取付け可能なブレス制振材本体部と錘と緩衝材からなり、緩衝材はブレス制振材本体部が水平ブレスと接触する面に設けられるとともに、ブレス制振材は水平ブレスに対し固定一体化されていないことを特徴とするブレス制振材により解決される。
【００１０】
本ブレス制振材は、錘からなる質量を有する部材からなり、ブレス制振材が水平ブレスに固定一体化されることなく、水平ブレスと緩衝材を介して取り付けられているため、ブレス制振材が水平ブレスに対して上下の動きや回転の自由な動きが可能になる。そのため、ブレス制振材が水平ブレスに固定一体化されブレス制振材が水平ブレスと一体となって特定の固有振動数を有する運動体として作用するのではなく、ブレス制振材が固有の振動数で振動しない運動体として働くため、水平ブレスのあらゆる周波数の共振に対しても減衰効果を発揮する。つまり、水平ブレスの振動運動に対して別の動きをする質量があるため、水平ブレスに単調な振動が起こりにくくなる。
【００１１】
また、緩衝材がブレス制振材本体部と水平ブレスが接触する面に設けられるため、ブレス制振材が水平ブレスと固定一体化されることなく、より一層ブレス制振材が水平ブレスに対して上下の動きや回転の自由な動きを可能にするとともに、ブレス制振材と水平ブレスとの接触音が発生することも防止できる。
【００１２】
また、ブレス制振材が電気配線を引掛けることができる電気配線固定部を有しているとよい。
【００１３】
ブレス制振材に電気配線を引掛けることができる電気配線固定部を有していることで、電気配線を固定し易くなるため配線工事の施工性が向上する。さらに、ブレス制振材に電気配線が固定されると、電気配線自体も振動特性をもたない錘として作用するため、より一層水平ブレスの制振効果は高くなる。
【００１４】
さらに、本ブレス制振材は、水平ブレスの任意の位置に固定一体化させずに取り付けるだけであるため、簡易な構成で水平ブレスの共振を防止することができる。    
【発明の効果】
【００１５】
本発明は以上のとおりであるから、ブレスの共振による異音の発生の防止及び天井内配線工事の省力化を図ることができる。
【発明を実施するための最良の形態】
【００１６】
次に、本発明の実施最良形態を図面に基づいて説明する。
【００１７】
図１（イ）に示すブレス制振材１において、２はブレス制振材本体部、３は錘、４は緩衝材、５は電気配線引掛部である。
【００１８】
ブレス制振材本体部２は薄型鋼板からなり、一方の端部は錘３に連続し、もう一方の端部は断面形状円形のブレス軸体に引掛けられるよう、円形に成型され、その内側には緩衝材４が貼設されている。緩衝材として、ウレタンスポンジや発泡系ゴム材などが用いられる。この円形はブレス６にブレス制振材１を引掛けた際、緩衝材４を介して密着するとともに、図１（ロ）に示すように、緩衝材４の変形によりブレス６に対してブレス制振材１が上下方向及び回転の自由な動きが可能となるような大きさになっている。
【００１９】
また、ブレス制振材本体部２には電気配線引掛部５が相対する位置に２本設けられている。
【００２０】
ブレス制振材１のブレス６への取り付けは、図１（ハ）に示すようにブレス６の任意の位置にブレス制振材１を引掛けて取り付ける。ブレス６は自由に運動する錘３を有するブレス制振材１が吊り下がったことで、ブレス６のあらゆる周波数の共振に対しても減衰効果を発揮する。これはブレス制振材１はブレス６に対し固定一体化して取り付けられるのではなく、緩衝材４を介して固定一体化されないブレス６の振動に対して別の動きをする質量を有する運動体として取り付けられるため、単調な振動が起こりにくくなる作用による。
【００２１】
また、ブレス制振材１には電気配線引掛部５が設けられているため、図１（ハ）に示すように、ブレス制振材１をブレス６に引掛け取り付けた後、電気配線引掛部５に天井内に配線する電線７を引掛けることで、天井内に配置される配線を簡易に効率よく施工することができる。また、ブレス制振材１に配線７が引掛けられると、配線自体も固有の振動特性を持たない錘として作用するため、減衰効果はより一層高いものとなる。
【００２２】
図２に示す本発明の第２実施形態であるブレス制振材１２は、線材からなブレス制振材本体部２に錘としてのナット３が、ナット３の孔に線材を通してぶら下げ支持されている。線材からなるブレス制振材本体部２はブレスに引掛けられるよう一方の端部が折り曲げられているとともに、もう一方の端部は錘としてのナット３をぶら下げ支持するとともに、電線を引掛けられるように電気配線引掛部５が形成されている。
【００２３】
図３（イ）に示す本発明の第３実施形態であるブレス制振材１３は断面視半円状の２個のブレス制振材本体部２を錘３に対し間隔をあけて取り付けられたものである。ブレス制振材本体部２の内側にはそれぞれ緩衝材４が貼設されている。さらに、錘３に取り付けた２個のブレス制振材本体部２の略中間部には、電線が引掛けられるように成形した線材からなる電気配線引掛部５が取り付けられている。
【００２４】
このブレス制振材１３のブレス６への取付けは、図３（ロ）に示すように交差して配置されているブレス６，６に対しブレス６，６の上側よりブレス制振材１３を載置して取り付ける。ブレス制振材１３の２個のブレス制振材本体部２はそれぞれが平行に取り付けられているのではなく、交差するブレス６，６の角度に沿うようにそれぞれが任意の角度となるように配置されている。
【００２５】
本発明のブレス制振材は、錘からなる質量を有する部材からなり、ブレス制振材が水平ブレスに固定一体化されることなく、水平ブレスと緩衝材を介して取り付けられているため、ブレス制振材が水平ブレスに対して上下の動きや回転の自由な動きを可能になる。そのため、ブレス制振材が水平ブレスに固定一体化されブレス制振材が水平ブレスと一体となって特定の固有振動数を有する運動体として作用するのではなく、ブレス制振材が固有の振動数で振動しない運動体として働くため、水平ブレスのあらゆる周波数の共振に対しても減衰効果を発揮する。つまり、水平ブレスの振動運動に対して別の動きをする質量があるため、水平ブレスに単調な振動が起こりにくくなる。
【００２６】
また、緩衝材がブレス制振材本体部と水平ブレスが接触する面に設けられるため、ブレス制振材が水平ブレスと固定一体化されることなく、より一層ブレス制振材が水平ブレスに対して上下の動きや回転の自由な動きを可能にするとともに、ブレス制振材と水平ブレスとの接触音が発生することも防止できる。
【００２７】
以上に、本発明の実施形態を示したが、本発明はこれに限られるものではなく、発明思想を逸脱しない範囲で各種の変更が可能である。例えば、上記の実施形態では、ブレス制振材本体部と錘とが別々の部材から構成されている例を示したが、ブレス制振材本体部と錘とが１つの部材から構成されていてもよく、さらに電気配線引掛部も含めて１つの部材から構成されていてもよい。
【００２８】
本発明は、質量を有する部材からなり、ブレス制振材が水平ブレスに固定一体化されることなく、水平ブレスと緩衝材を介して取り付けられているため、ブレス制振材が水平ブレスに対して上下の動きや回転の自由な動きを可能になる。そのため、ブレス制振材が水平ブレスに固定一体化されブレス制振材が水平ブレスと一体となって特定の固有振動数を有する運動体として作用するのではなく、ブレス制振材が固有の振動数で振動しない運動体として働くため、水平ブレスのあらゆる周波数の共振に対しても減衰効果を発揮する。つまり、水平ブレスの振動運動に対して別の動きをする質量があるため、水平ブレスに単調な振動が起こりにくくなる作用を具現化したものであるため、ブレスに対し緩衝材を介して固定一体化されずに取り付けられる質量体であればよい。
【図面の簡単な説明】
【００２９】
【図１】本発明であるブレス制振材の第１実施形態を示す図であって、（イ）は斜視図、（ロ）は要部拡大断面図、（ハ）はブレスへの取り付け状況を示す斜視図である。
【図２】本発明であるブレス制振材の第２実施形態を示す斜視図である。
【図３】本発明であるブレス制振材の第３実施形態を示す図であって、（イ）はブレスへの取付け状況を示す斜視図、（ロ）はブレスへの取付け状況を示す平面図である。
【図４】従来例を示す図であって、（イ）はブレス構造を示す斜視図、（ロ）は、床に加わった衝撃がブレスに伝達される状況を示す説明図である。
【符号の説明】
【００３０】
１・・・ブレス制振材
２・・・ブレス制振材本体部
３・・・錘
４・・・緩衝材
５・・・電気配線引掛部
６・・・ブレス
７・・・電線
【図１】
2008184793.tif 000003
【図２】
2008184793.tif 000004
【図３】
2008184793.tif 000005
【図４】
2008184793.tif 000006